(57)【要約】【課題】  音波又は超音波を発生する音響装置における音源たる圧電振動板に着目し、これを芳香材の香気発生促進手段として活用し、癒し音（音波）を発生しつつ、香気を発生し、両者の協働にて癒し効果を高める芳香器を提供する。【解決手段】  小型ケース内に音波又は超音波を発生する圧電振動板とその発振回路を備え、該圧電振動板の表面に芳香材又は芳香材担体を重層構造にし、該圧電振動板の振動によって上記芳香材又は芳香材担体を励振し香気発生を促す構成とした芳香器。【選択図】    図１
2006239337.tif 000002
【特許請求の範囲】
【請求項１】
小型ケース内に音波又は超音波を発生する圧電振動板とその発振回路を備え、該圧電振動板の表面に芳香材又は芳香材担体を重層構造にし、該圧電振動板の振動によって上記芳香材又は芳香材担体を励振し香気発生を促す構成としたことを特徴とする芳香器。
【請求項２】
人体を検知して上記発振回路を作動せしめる人感センサーを備えたことを特徴とする請求項１記載の芳香器。
【発明の詳細な説明】
【発明の詳細な説明】
【技術分野】
【０００１】  本発明は、音波又は超音波を発生する圧電振動板の振動を利用して香気放出を促すようにした芳香器に関する。
【背景技術】
【０００２】  従来の芳香器の大部分はファンモータの風力にて芳香材の気化又は昇華を促す据え置き型である。
一方、癒し器材において音、音楽、物語りなど聴覚に訴える音響装置がある。
【発明が解決しようとする課題】
【０００３】  本発明は上記音響装置における音源たる圧電振動板に着目し、これを芳香材の香気発生促進手段として活用し、音響装置として癒し効果音（音波）、例えば楽音、虫の音、波の音、せせらぎ音等を発生しつつ、香気を発生し、両者の協働にて癒し効果を高めることができるようにした芳香器の提供を目的とするものである。
【０００４】  又、本発明は圧電振動板を嫌蚊性周波数の振動波を発生する手段として機能させつつ、この圧電振動板を芳香材の香気発生促進手段として活用し、嫌蚊性振動波音波又は超音波と香気を一緒に放出して癒し効果を得ながら蚊撃退効果を得ることができるるようにした芳香器の提供を目的とするものである。
【課題を解決するための手段】
【０００５】  要述すると、小型ケース内に音波又は超音波を発生する圧電振動板とその発振回路を備え、該圧電振動板の表面に芳香材又は芳香材担体を重層構造にし、該圧電振動板の振動によって上記芳香材又は芳香材担体を励振し香気発生を促す構成としたものである。
【発明を実施するための最良の形態】
【０００６】  本発明の実施の形態を図１乃至図５を参照して説明する。【０００７】  図１（Ａ）（Ｂ）（Ｃ）に示すように、１は癒し音発生音響装置６を組み込んだ小型ケースであり、２はケース側面より外部に臨ませた電源のＯＮ、ＯＦＦ操作スイッチ、３は圧電振動板７の固定と覆いを兼ねるケースの蓋、４は癒し音と香気を一緒に放出する放出窓、５は前記蓋を止めるネジである。【０００８】  上記癒し音発生音響装置６は回路基板１０と、該基板上の発振回路によって励振され癒し音（音波）を発生するスピーカたる圧電振動板７から成り、該発振回路基板１０には発振回路を形成する音源ＩＣを含む電子部品６’と電源８たるボタン電池を搭載する。
癒し音を発生するための発振回路は音響回路を構成している。【０００９】  圧電振動板７は振動板７ａと圧電素子７ｂのバイモルフ構造であり、該圧電振動板７を前記放出窓４の内側に対向して配し、該圧電振動板と発振回路基板とをリード線９ａ、９ｂによって接続し、電源スイッチＯＮにより癒し音を前記放出窓４より外部へ放出する。【００１０】  他方、前記振動板７ａには芳香材１１を重層状態に保持せしめ、前記振動板７が発生する振動と若干の振動発熱を利用して該芳香材１１を励起し、気化又は昇華した芳香材１１からの香気を癒し音と一緒に前記放出窓４から放出する。【００１１】  更に、振動板７ａと分離着脱可能で且つ振動板７ａと密着される担板１２に芳香材１１を塗布した構造とし、組立て時に振動板７ａの表面に密着させ重層状態にしつつケース本体に一体に設けた振動板の周縁を支える支持座１’と、ケース蓋３に一体に設けた振動板押さえ部３’間に挟持し固定する。【００１２】  振動板７ａは自己振動しつつ上記の芳香材１１を保有する担板１２を励振し、従って芳香材１１を励振する。よって発生する振動波又は／及び振動発熱を利用して該芳香材１１を励起し、気化又は昇華した香気を癒し音と一緒に放出窓４から放出する。【００１３】  図２は回路図で、スイッチ２をＯＮすると電源電池８の電力により癒し音を発生する発振回路１０’が作動し、圧電振動板７を励振せしめる。【００１４】  図３（Ａ）（Ｂ）は振動板７ａの表面に芳香材１１を塗布し、又は板状に成形したものを重層状態に保持させた場合を例示し、１つの例として該芳香材を板状にしこれを多孔構造又は格子溝目地構造にしたものであり、前記振動板７ａの圧電振動体７にリード線９ａ及び９ｂを接続し、芳香材層と振動板７ａを同体振動せしめる構成にする。【００１５】  図３（Ｃ）は前記芳香材を、振動板７ａと分離着脱可能ならしめた担板１２の表面に塗布又は板状に成形したものを貼付した場合を示し、振動板７ａと芳香材１１を重層した担板１２は組立て時に密着される。【００１６】  図４（Ａ）（Ｂ）は人感センサー１３を備えた芳香器を示し、センサー窓１４をケース蓋３に設けた１例を示す。【００１７】  発振回路基板１０上に該センサー回路を形成する電子部品１３ａと半導体センサー素子１３ｂ即ち人感センサー１３を搭載した構造を示す。ここに、該半導体センサー素子１３ｂはセンサー窓１４の内側に対向して配置する。【００１８】  センサー窓１４を通して半導体センサー素子１３ｂが検知した人体の活動信号はセンサー回路を形成する電子部品１３ａを介して前記発振回路１０’を作動し、芳香材１１を放出せしめる。【００１９】  図５は人感センサーｌ３を備えた芳香器の回路図で、スイッチ２をＯＮすると電源電池８の電力により人感センサー回路が作動し、半導体センサー素子１３ｂが人体の接近など人体の活動を捕らえた時にトランジスタスイッチ１５を駆動し発振回路１０’を作動せしめ癒し音を発生する。ここに、該トランジスタスイッチ１５は前記人感センサー回路を構成する電子部品１３ａの中に搭載する。【００２０】  以上の説明から明らかなように、本発明によれば、次の効果が得られる。
（１）  振動板による癒し効果音に加え、該振動板の振動又は発熱で芳香材が気化又は昇華して香気を発することにより、音波と香気両者の相乗効果で癒し効果を増すことができる。
（２）  振動板を虫の音、楽音、物語り等の音源として利用する場合の他、他例として、振動板で嫌蚊性周波数の振動波を発生せしめ、同時に芳香材を気化又は昇華せしめて、香気による癒し効果を得ながら蚊撃退効果も得ることができる。
（３）  人感センサーを付加することにより、無人の時には芳香器が作動停止しするので、電源や芳香材の消耗を抑制でき、その都度スイッチ操作せねばならない不便が解消できる。
【図面の簡単な説明】
【００２１】
【図１】  （Ａ）は芳香器の斜視図であり、（Ｂ）は同断面図であり、（Ｃ）は芳香材を振動板と分離着脱可能な担板に保持した側断面図である。
【図２】  芳香器の回路図である。
【図３】  （Ａ）は芳香材を重層状態に保持した振動板の前方斜視図、（Ｂ）は同後方斜視図である。
【図４】  （Ａ）は人感センサーを備えた芳香器の斜視図、（Ｂ）は同芳香器の断面図である。
【図５】  は人感センサーを備えた芳香器の回路図である。
【符号の説明】
【００２２】  １      ケース
１’    振動板支持座
２      電源ＯＮ、ＯＦＦスイッチ
３      振動板の固定と覆いを兼ねる蓋
３’    振動板押さえ部
４      癒し効果音と芳香材の香気の放出窓
５      蓋を止めるネジ
６      癒し音発生音響装置
６’    音響回路を構成する電子部品
７      圧電振動板
７ａ    振動板
７ｂ    圧電素子
８      電源（ボタン電池）
９ａ    リード線
９ｂ    リード線
１０      発振回路基板
１０’    発振回路
１１      芳香材
１２      芳香材の担板
１３      人感センサー
１３ａ    人感センサー回路を構成する電子部品
１３ｂ    半導体センサー素子
１４      人感センサー窓
１５      トランジスタスイッチ
【図１】
2006239337.tif 000003
【図３】
2006239337.tif 000004
【図４】
2006239337.tif 000005
【図２】
2006239337.tif 000006
【図５】
2006239337.tif 000007